(57)【特許請求の範囲】
【請求項１】
加熱室を有し蒸気を生成するための水を貯蔵する水タンクを前面に向けて着脱自在に備え、前記加熱室内に熱と前記蒸気とを供給して被加熱物を加熱処理する蒸気発生機能付加熱調理器であって、
前記水タンクを脱着可能に連結するための接続部材において、該接続部材は軟質材で形成されると共に、前記水タンクに設けられ開口凹部への挿入を導く周方向に一周に亘って形成され先端がＲ処理された凸形状のガイド部と、前記水タンクの開口凹部と結合し、シールを確保するための周方向に一周する凸形状のシール部と、内部が中空のチューブ状となった連結部とが一体となったことを特徴とする蒸気発生機能付加熱調理器。
【請求項２】
前記接続部材において、前記水タンクの開口凹部と接触する表面は、細かな凹凸の表面を有するようにブラスト加工が施されたことを特徴とする請求項１に記載の蒸気発生機能付加熱調理器。
【請求項３】
前記接続部材において、前記水タンクの開口凹部に挿入される内部中空の内径が、前記接続部材の先端入り口部分は狭く、当該接続部材の入り込んだ部分は広くなったことを特徴とする請求項１に記載の蒸気発生機能付加熱調理器。
【請求項４】
前記接続部材において、当該接続部材の先端がＲ処理された凸形状のガイド部の径は、前記シール部の凸形状の径よりも短いことを特徴とする請求項１に記載の蒸気発生機能付加熱調理器。
【発明の詳細な説明】
【技術分野】
【０００１】
本発明は、加熱室内に熱と蒸気とを供給して、被加熱物を加熱処理する蒸気発生機能付加熱調理器に関するものである。
【背景技術】
【０００２】
従来の加熱調理器として、調理の際に蒸気を発生させる蒸気発生機能付加熱調理器が知られている（例えば、特許文献１参照）。【０００３】
図２は、加熱調理器としての蒸気発生機能付加熱調理器５の斜視図である。図３は、前面下部に水タンク収納部材を有する蒸気発生機能付加熱調理器５の斜視図である。図２及び図３に示すように、加熱調理器としての蒸気発生機能付加熱調理器５は、前面が開口し、内部に被加熱物を収納する加熱室の下方に、蒸気を生成するための水を貯蔵する水タンク６を備えている。【０００４】
水タンク６は、当該蒸気発生機能付加熱調理器５の加熱室下方に設けた水タンク収納部７に納められ、当該蒸気発生機能付加熱調理器５の前面側から着脱自在に取り付けられている。図４は、水タンク６の斜視図である。同図（ａ）は、水タンク６の前面からの斜視図である。同図（ｂ）は、水タンク６の後面からの斜視図である。図４（ｂ）に示すように、水タンク６（図２参照）の後面には、開口凹部８が設けられており、水タンク収納部７（図３参照）の内部にある接続部材により、当該水タンク６と水タンク収納部７とが着脱可能に連結されている。【０００５】
次に、水を貯蔵した水タンク６から、蒸気発生機能付加熱調理器５の加熱室本体への給水方法を図５にて説明する。図５は、水タンク収納部７内の接続部材に水タンク６を連結する様子を示した側面断面図である。図５（ａ）は、水タンク６を接続部材に連結する前の側面断面図であり、図５（ｂ）は水タンク６を接続部材に連結した時の側面断面図および水の経路を示す側面断面図である。図５（ａ）に示すように、水タンク６内に貯蔵された水（図示せず）は、タンクパッキン１４に接続されたベンジク１５とスプリング（図示せず）とにより水タンク６に押し付けられて、当該水タンク６から漏水しないようにシールされている。【０００６】
図５（ｂ）に示すように、水タンク６を水タンク収納部７（図３参照）に挿入すると、当該水タンク収納部７の内部にある接続部材と、水タンク６の後面に設けられた開口凹部８とが連結される。【０００７】
図７は、従来の接続部材を示す正面図および分解断面図を示す。同図（ａ）は、従来の接続部材の正面図を示す。同図（ｂ）は、従来の接続部材の分解断面図を示す。この接続部材には、図７（ｂ）に示すように、Ｏリングパッキン１２が設けられており、開口凹部８の内壁と接触することで、水タンク６と水タンク収納部７とがシールされる。なお、図７（ｂ）に示すように、従来の接続部材は、ガイド部１と、Ｏリングパッキン１２と、送水チューブ１３とが組み合わされることで構成されている。更に、このガイド部１は、硬材質で構成されている。【０００８】
水タンク６をさらに押し込むと、図７（ｂ）に示すように、当該接続部材によりベンジク１５が押され、タンクパッキン１４と水タンク６との間に隙間が生じる。この隙間から、水タンク６に貯蔵された水が入り込み、内部中空部分４を通り、矢印のような水経路１６で送水チューブ１３を介して給水ポンプ（図示せず）に供給される。【０００９】
また、上記手順の逆で、水タンク６を水タンク収納部７（図３）から抜くと、タンクパッキン１４が閉じ、水タンク６に貯蔵した水が当該水タンク６内にシールされることになり、結果的に水タンク６内に貯蔵された水は漏水することがない。【００１０】
上記のような構成により、水タンク６を加熱調理器としての蒸気発生機能付加熱調理器５の本体から着脱自在に配置するようにしたことにより、水タンク６を容易に取り出して洗浄等が行えるため、衛生的に使い勝手がよくなる。
【先行技術文献】
【特許文献】
【００１１】
【特許文献１】日本国特開２００６−０１７３９８号公報
【発明の概要】
【発明が解決しようとする課題】
【００１２】
しかしながら、前記従来の構成では、前記したように、水タンク６と連結するための水タンク収納部７内に設けられる接続部材において、水タンク６の開口凹部８に挿入を導くためのガイド部１が硬質材で構成されていた。このため、水タンク６の開口凹部８への挿入を、開口の中心線よりずれた位置から斜めに挿入された場合、当該接続部材に設けられたＯリングパッキン１２と、開口凹部８の接触が不均一となり、完全にシールされずに当該水タンク６内に貯蔵された水が漏水するという恐れがあった。【００１３】
また、Ｏリングパッキン１２は、一般的に、軟質材で形成された細いリング状であり、水タンク６の挿抜を繰り返すと切れ、この場合にも、当該水タンク６内に貯蔵された水が漏水するという恐れがあった。【００１４】
また、水タンク６に貯蔵した水が、接続部材の内部中空部分４を介して、給水ポンプに送水するための送水チューブ１３が接続部材に圧入で連結されているため、圧入量が少ないと抜けるという危険性もあった。【００１５】
前記従来の課題を解決するために、本発明の蒸気発生機能付加熱調理器は、蒸気を生成するための水を貯蔵する水タンクを着脱自在に連結するための接続部材を用いることで、当該水タンク内に貯蔵された水の漏水の恐れがなくなることを目的とする。
【課題を解決するための手段】
【００１６】
前記従来の課題を解決するために、本発明の蒸気発生機能付加熱調理器は、蒸気を生成するための水を貯蔵する水タンクを着脱自在に連結するための接続部材を軟質材で形成すると共に、水タンクに設けられた開口凹部へ挿入する際、誘導するための周方向に一周する先端がＲ処理された凸形状のガイドを設ける。これにより、水タンクの開口凹部への挿入を、当該接続部材の開口の中心線よりずれた位置から斜めに挿入された場合でも、当該接続部材が軟質材で形成されており、更に当該接続部材の先端がＲ処理された凸形状のガイドにより、当該接続部材の開口の中心線のずれをフレキシブルに調節することが出来、当該接続部材の凸部と水タンクの開口凹部との接触が均一となり、当該水タンク内に貯蔵された水の漏水の恐れがなくなる。
【発明の効果】
【００１７】
本発明の蒸気発生機能付加熱調理器は、水タンクと当該蒸気発生機能付加熱調理器本体とを着脱自在に連結する接続部材を軟質材で形成し、ガイド部、シール部及び連結部を一体で構成したことにより漏水の恐れがなく、信頼性や耐久性の優れた蒸気発生機能付加熱調理器を提供することが可能となる。
【図面の簡単な説明】
【００１８】
【図１】本発明の実施の形態１における蒸気発生機能付加熱調理器に用いられる接続部材の斜視図
【図２】加熱調理器としての蒸気発生機能付加熱調理器の斜視図
【図３】前面下部に水タンク収納部材を有する本体の斜視図
【図４】水タンクの斜視図、（ａ）水タンクの前面からの斜視図（ｂ）水タンクの後面からの斜視図
【図５】水タンク収納部内の接続部材に水タンクを連結する様子を示した側面断面図、（ａ）水タンクを接続部材に連結する前の側面断面図（ｂ）水タンクを接続部材に連結した時の側面断面図および水の経路を示す側面断面図
【図６】本発明の実施の形態１又は２における蒸気発生機能付加熱調理器に用いられる接続部材を示す要部拡大図、（ａ）本発明の接続部材を示す正面図、（ｂ）本発明の接続部材を示す分解断面図
【図７】従来の接続部材の正面図および分解断面図、（ａ）従来の接続部材を示す正面図、（ｂ）分解断面図
【発明を実施するための形態】
【００１９】
第１の発明は、蒸気を生成するための水を貯蔵する水タンクを着脱自在に連結するための接続部材において、軟質材で形成されると共に、水タンクに設けられた開口凹部への挿入を導く周方向に一周する先端がＲ処理された凸形状のガイド部を設けることにより、水タンクの開口凹部への挿入を、開口の中心線よりずれた位置から斜めに挿入された場合でも、軟質材で形成されており、先端がＲ処理された凸形状のガイド部により、中心線のずれをフレキシブルに調節するため、開口凹部の接触が均一となり、漏水の恐れがなくなる。
【００２０】
また、接続部材は、水タンクの開口凹部と結合し、当該水タンクの開口凹部とのシールを確保するための周方向に一周する凸形状のシール部と、内部が中空のチューブ状となった連結部とが一体となったことにより、水タンクの挿抜を繰り返されても接続部材全体でねじれ等の応力を吸収するため、シール部の切れ等の不具合や、送水チューブの抜けが発生せず、耐久性が格段に向上する。
【００２１】
第２の発明は、接続部材において、水タンクの開口凹部と接触する表面は、細かな凹凸を有するようにブラスト加工が施されたことにより、水タンクの抜き差し時の摩擦抵抗を軽減することが可能となり使い勝手が向上する。
【００２２】
第３の発明は、接続部材において、水タンクの開口凹部に挿入される内部中空の内径が、当該接続部材の先端入り口部分は狭く、当該接続部材の入り込んだところは広くすることにより、水交換等により水タンクを抜いた際に、内部中空部分に溜まった水が床等に滴下することを防止できる。
【００２３】
第４の発明は、接続部材において、当該接続部材の先端がＲ処理された凸形状のガイド部の径（半径又は直径）は、シール部の凸形状の径（半径又は直径）よりも短くしたことにより、水タンクを抜き差し時に、シール部の周方向に一周する凸部は、水タンクの開口凹部との接触が常に一定のスキマとなり、信頼性や耐久性が向上する。
【００２４】
以下、本発明の実施形態について、図面を参照しながら説明する。なお、この実施の形態によって本発明が限定されるものではない。
【００２５】
（実施の形態１）
図１は、本発明の実施の形態１における蒸気発生機能付加熱調理器に用いられる接続部材の斜視図である。図１において、接続部材は軟質材で形成され、周方向に一周する先端がＲ処理された凸形状のガイド部１と、水タンク６の開口凹部８（図４参照）とのシールを確保するための周方向に一周する凸形状のシール部２と、内部が中空のチューブ状となった連結部３とが一体で構成されている。
【００２６】
前記したように、従来の接続部材は、図７（ｂ）に示すように、ガイド部１と、Ｏリングパッキン１２と、送水チューブ１３とがそれぞれ組み合わされることで構成されていた。従って、従来の接続部材を生産する際に工数がかかっていた。しかしながら、本発明の接続部材は、ガイド部１とシール部２と連結部３とが一体的に構成されているため、当該接続部材の生産性及び量産性を向上することができる。
【００２７】
本発明によれば接続部材は軟質材で形成され、先端がＲ処理された凸形状のガイド部１により、水タンク開口凹部８（図４参照）に挿入される際に凸形状のガイド部１によって誘導され、水タンク６の開口凹部８と接続部材の中心線とのずれが減少し、当該水タンク６の開口凹部８と当該接続部材とのシールを確保するための凸形状のシール部２が均一に接触することが可能となり漏水の恐れがなくなる。
【００２８】
更に、ガイド部１に加えて、当該水タンク６の開口凹部８と当該接続部材とのシールを確保するための凸形状のシール部２と、連結部３とが一体で構成されているため、耐久性能や抜け防止といった信頼性が向上し、部品点数も削減される。
【００２９】
（実施の形態２）
図６は本発明の実施の形態１又は２における蒸気発生機能付加熱調理器に用いられる接続部材を示す要部拡大図である。図６（ａ）は、本発明の接続部材を示す正面図である。図６（ｂ）は、本発明の接続部材を示す分解断面図である。図６（ｂ）において、水タンク６の開口凹部８（図５（ａ）参照）と接触する部分、即ち、ブラスト加工の範囲１１には表面に細かな凹凸を有するようにブラスト加工が施されている。
【００３０】
本発明によれば、接続部材が軟質材（例えば、シリコンゴム又は合成ゴム等）で形成されたことにより、水タンクの開口凹部８（図５（ａ）参照）に挿入する際に、摩擦抵抗が大きくなり、水タンク６の抜き差しが重くなる。しかしながら、ブラスト加工の範囲１１にブラスト加工が施されていることにより、ブラスト加工の範囲１１における表面の細かな凹凸により、当該摩擦抵抗が軽減され、水タンク６の挿抜力が軽くなる。
【００３１】
（実施の形態３）
図６（ｂ）において、内部中空部分４は、先端入り口に近い所の中空内径（入り口）１０ａは小さく、入り込んだ所の中空内径（奥）１１ｂを大きくすることのより、水交換等により水タンクを抜いた際に、内部中空部分４に溜まった水が中空内径（入り口）１０ａは小さくなっており、水をせき止める働きをする。これにより、床等に滴下することを防止できる。
【００３２】
（実施の形態４）
図６（ｂ）において、ガイド部凸の径（例えば半径又は直径等）９ａをシール部凸の径（例えば半径又は直径等）９ｂより短くすることにより、水タンクを抜き差し時に、シール部の周方向に一周する凸形状のシール部２は、水タンクの開口凹部８（図５（ａ）参照）との接触が常に一定のスキマとなることで、凸形状のシール部２の接触が均一となり、本発明に係る蒸気発生機能付加熱調理器の信頼性や耐久性がさらに向上する。
【００３３】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００３４】
なお、本出願は、２０１０年１月７日出願の日本特許出願（特願２０１０−００１６８５）に基づくものであり、その内容はここに参照として取り込まれる。
【産業上の利用可能性】
【００３５】
以上のように、本発明に係る蒸気発生機能付加熱調理器は、水タンクと調理器本体とを着脱自在に連結する接続部材を軟質材で形成し、ガイド部、シール部、連結部を一体で構成したことにより漏水の恐れがなく、信頼性や耐久性の優れた蒸気発生機能付加熱調理器を提供することが可能となる。
【符号の説明】
【００３６】
１  ガイド部
２  シール部
３  連結部
４  内部中空部分
５  蒸気発生機能付加熱調理器
６  水タンク
７  水タンク収納部
８  開口凹部
９ａ  ガイド部凸の径
９ｂ  シール部凸の径
１０ａ  中空内径（入り口）
１０ｂ  中空内径（奥）
１１  ブラスト加工の範囲
【図１】
0005557346.tif 000002
【図２】
0005557346.tif 000003
【図３】
0005557346.tif 000004
【図４】
0005557346.tif 000005
【図５】
0005557346.tif 000006
【図６】
0005557346.tif 000007
【図７】
0005557346.tif 000008